(57)【要約】【課題】  操作中に生じる装置のズレや移動を抑止することにより、作業効率の向上と安全性の確保を実現することができるフットスイッチ用保持具を提供する。【解決手段】  フットスイッチ装置３０に装着される保持具１である。フットスイッチ装置３０の下に配設される敷設板１０と、敷設板１０に連結された、足を載置する踏板部２０とを具備する。敷設板１０の先端には、フットスイッチ装置のズレを防ぐ抑止具１１を設けることが好ましい。【選択図】      図１
0003113731.tif 000002
【実用新案登録請求の範囲】
【請求項１】
フットスイッチ装置に装着される保持具であって、フットスイッチ装置の下に配設される敷設板と、該敷設板に連結された、足を載置する踏板部とを具備することを特徴とするフットスイッチ用保持具。
【請求項２】
前記敷設板の先端に、フットスイッチ装置のズレを防ぐ抑止具を設けた請求項１記載のフットスイッチ用保持具。
【請求項３】
前記敷設板に、枠体付きフットスイッチ装置の該枠体を保持する保持材を設けた請求項１または２記載のフットスイッチ用保持具。
【請求項４】
前記敷設板に、足の誤操作を防ぐためのカバー体を設けた請求項１乃至３のいずれか記載のフットスイッチ用保持具。
【請求項５】
前記カバー体を着脱自在とした請求項４記載のフットスイッチ用保持具。
【請求項６】
前記踏板部に滑止め用の突起部を設けた請求項１乃至５のいずれか記載のフットスイッチ用保持具。
【請求項７】
前記踏板部に、足逃げ防止用の突起部を設けた請求項１乃至６のいずれか記載のフットスイッチ用保持具。
【請求項８】
前記敷設板と踏板部との連結部分と、踏板部の略中央部分に蝶番を備えた請求項１乃至７のいずれか記載のフットスイッチ用保持具。
【請求項９】
前記敷設板に、フットスイッチ装置の枠体と連結する挟持部を設けた請求項１乃至８のいずれか記載のフットスイッチ用保持具。
【考案の詳細な説明】
【技術分野】
【０００１】
本考案は、工作機械等に設置されたフットスイッチ装置に装着される保持具に関し、特に、操作中にフットスイッチ装置がズレたり移動したりすることを抑止することができるフットスイッチ用保持具に関する。
【背景技術】
【０００２】
従来、プレスブレーキやプレスマシンなどの工作機械を始めとして、様々な装置を動作せしめる手段としてフットスイッチ装置が知られている（例えば特許文献１参照）。
上掲特許文献１のフットスイッチ装置では、作業者の足が挿入可能な開口部を前面に備えたケーシングを設け、このケーシング内にフットスイッチ用ペダルを設け、このフットスイッチ用ペダルの上方、下方における左右の一方側に左右方向へスライド可能なスライド部材、ストッパをそれぞれ設けると共に、このスライド部材とストッパとが一体的に設けられている。
【特許文献１】特開平１０−２０８５７８号公報（第１-２頁、図１、図２）
【考案の開示】
【考案が解決しようとする課題】
【０００３】
しかしながら、上掲のフットスイッチ装置においては、フットスイッチ用ペダルがケーシング内に収容されているため、足でペダルを操作するうちに装置全体がズレたり移動したりするという問題があった。これにより、移動の度にケーシングを元の場所へ戻さなければならず、作業性が低下するという問題や、またそれに伴い、操作ミスや事故が発生するという欠点もあった。
【０００４】
そこで本考案の目的は上記問題点を解消し、操作中に生じる装置のズレや移動を抑止することにより、作業効率の向上と安全性の確保を実現することができるフットスイッチ用保持具を提供することにある。
【課題を解決するための手段】
【０００５】
上記課題を解決するために本考案のフットスイッチ用保持具は、フットスイッチ装置に装着される保持具であって、フットスイッチ装置の下に配設される敷設板と、該敷設板に連結された、足を載置する踏板部とを具備することを特徴とする。また前記敷設板の先端に、フットスイッチ装置のズレを防ぐ抑止具を設けた。また前記敷設板に、枠体付きフットスイッチ装置の該枠体を保持する保持材を設けた。また前記敷設板に、足の誤操作を防ぐためのカバー体を設けた。また前記カバー体を着脱自在とした。また前記踏板部に滑止め用の突起部を設けた。また前記踏板部に、足逃げ防止用の突起部を設けた。また前記敷設板と踏板部との連結部分と、踏板部の略中央部分に蝶番を備えた。さらに前記敷設板に、フットスイッチ装置の枠体と連結する挟持部を設けた。
【考案の効果】
【０００６】
フットスイッチ装置の下に配設される敷設板と、かかる敷設板に連結された、足を載置する踏板部とを具備するものとし、また前記敷設板の先端に、フットスイッチ装置のズレを防ぐ抑止具を設けたことで、フットスイッチ用保持具上に足を載置することにより、フットスイッチ装置のズレを抑止することができ、作業効率の向上と安全性の確保が実現できる。また前記敷設板に、枠体付きフットスイッチ装置の枠体を保持する保持材を設けたことにより、フットスイッチ装置とフットスイッチ用保持具との一体化が高まる。また前記敷設板にカバー体を設けたことで、足の誤操作による事故の発生を未然に防ぐことができる。また前記カバー体を着脱自在としたことで、収納面や運搬時の利便性が高まる。また前記踏板部に滑止め用の突起部と足逃げ防止用の突起部を設けたことで、操作中における足のズレや移動を軽減できる。また前記敷設板と踏板部との連結部分と、踏板部の略中央部分に蝶番を備えたことで、コンパクトに折り畳むことができる。さらに前記敷設板に、フットスイッチ装置の枠体と連結する挟持部を設けたことにより、全体の形状を小型化することができ、製造コストの削減も実現できる。
【考案を実施するための最良の形態】
【０００７】
以下、本考案のフットスイッチ用保持具における実施の形態を図面に基づいて説明する。
図１に示す本考案の一好適例であるフットスイッチ用保持具１は、工作機械等に設置された、足により操作するフットスイッチ装置３０（図２参照）に装着されるもので、特に、使用中における装置のズレや移動を抑止するものである。このフットスイッチ用保持具１は、フットスイッチ装置３０の下に配設される敷設板１０と、かかる敷設板１０に連結された、足２を載置する踏板部２０とを備えている。尚、フットスイッチ装置３０は図２に示すように、通常、枠体３１と底板３２とペダル３３とから構成されており、かかるタイプのフットスイッチ装置３０に対し本考案の保持具は良好に適用することができる。
【０００８】
敷設板１０は、フットスイッチ装置３０の下に配設されるもので、強度の高い金属や硬質プラスティック等の素材からなり、作業性や収納面を考慮して薄板状に形成されている。また、敷設板２０の先端には、操作中、フットスイッチ装置３０が先方にズレたりすることを防ぐ抑止具１１が立設されている。
【０００９】
また、敷設板１０には、フットスイッチ装置３０の枠体３１を保持する保持材１２が設置されている。かかる保持材１２は、伸縮性を有するゴム材等のベルトからなり、敷設板１０の両側面に立設されたフック１３のいずれか一方、または両方に着脱自在に装着されている。保持材１２を設けることにより、フットスイッチ装置３０とフットスイッチ用保持具１との一体化を高め、ズレを防止することができる。
【００１０】
また、敷設板１０には、足の誤操作を防ぐためのカバー体１４が設置されている。かかるカバー体１４はコ字形状を呈しており、敷設板１０の端部に立設されている。カバー体１４を設けることで、誤ってフットスイッチ装置３０のペダル３３を踏むことがなく、誤操作による事故の発生を未然に防ぐことができる。
【００１１】
また、カバー体１４には、これを着脱自在とする連結具１５を設置することが好ましい。カバー体１４の立設部下部に図１に示すように連結具１５を設置することで、カバー体１４を自在に着脱することができ、移動時や収納の際の利便性を高めることができる。
【００１２】
また、敷設板１０には踏板部２０が連結されている。踏板部２０は足を載置するもので、足の踵が配置される箇所には滑止め用の突起部２１が設けられている。かかる突起部２１は、踏板部２０を底部から矩形状に打ち抜くことにより好適に形成されるもので、図示するように踏板部２０に５〜７列備えることが好ましい。踏板部２０に突起部２１を設けることにより、操作中における足のズレや移動を軽減できる。
【００１３】
また、踏板部２０には足逃げ防止用の突起部２２を設けることが好ましい。かかる突起部２２は、踏板部２０の端部に立設される。突起部２２を設けることで、操作中に足が踏板部２０から逃げ落ちることを防止することができる。
【００１４】
また、敷設板１０と踏板部２０との連結部分に一対の蝶番２３が、また踏板部２０の略中央部分に一対の蝶番２４が、夫々設置されている。かかる蝶番２３、２４を設置することで、図３に示すように踏板部２０を敷設板１０上に折り畳むことができ、全体をコンパクト化することができる。
【００１５】
本考案の他の好適例として、図４に示すように、敷設板１０に、フットスイッチ装置３０の枠体３１と連結する挟持部１６を設けてもよい。かかる挟持部１６は、敷設板１０上に挟持板１７を配設させ、基部をリベット１８にて固定すると共に、先端部に固定用ボルト１９を設置することにより形成される。上記構造により、図５に示すように、挟持部１６にてフットスイッチ装置３０を収容する枠体３１の底板３２を挟持することで、フットスイッチ用保持具１をフットスイッチ装置３０に連結することが可能となる。
【００１６】
次に、図１に示すタイプの本考案のフットスイッチ用保持具１の使用方法を図２に基づいて説明する。
先ず、フットスイッチ装置３０をフットスイッチ用保持具１上に載置し、次いでフットスイッチ装置３０の枠体３１を保持材１２にて保持する。その後、カバー体１４内に足ａを入れ、通常のようにペダル３２を操作するが、この際、誤って足の踏み箇所を間違ったとしても、カバー体１４にてペダル３２の誤操作を防止することができる。
【００１７】
また、操作中、フットスイッチ装置３０は抑止具１１にて前方への移動が防止されている。さらに、足の踵ｂには突起部２１が配設されるため、操作中における足のズレを軽減できると共に、踏板部２０の端部に立設されている突起部２２により、操作中に足が踏板部２０から逃げ落ちることを防止することができる。さらに、収納または移動の際は、フットスイッチ用保持具１を蝶番２３、２４部分で折り畳むことにより、コンパクト化することができる。
【図面の簡単な説明】
【００１８】
【図１】本考案の好適例のフットスイッチ用保持具の全体斜視図である。
【図２】図１に示すフットスイッチ用保持具の使用状態の側面図である。
【図３】図１に示すフットスイッチ用保持具を折り畳んだ状態の側面図である。
【図４】本考案の他の好適例を示すフットスイッチ用保持具の全体斜視図である。
【図５】図４に示すフットスイッチ用保持具の側面図である。
【符号の説明】
【００１９】
１    フットスイッチ用保持具
１０  敷設板
１１  抑止具
１２  保持材
１３  フック
１４  カバー体
１５  連結部
１６  挟持部
１７  挟持板
１８  リベット
１９  固定用ボルト
２０  踏板部
２１  突起部
２２  突起部
２３  蝶番
２４  蝶番
３０  フットスイッチ装置
３１  枠体
３２  底板
３３  ペダル
ａ    足
ｂ    踵
【図１】
0003113731.tif 000003
【図２】
0003113731.tif 000004
【図３】
0003113731.tif 000005
【図４】
0003113731.tif 000006
【図５】
0003113731.tif 000007